(57)【特許請求の範囲】
【請求項１】
プレストレストコンクリート柱間にプレストレストコンクリート梁が架設されて形成された領域における天井側のプレストレストコンクリート梁の下面に間柱部材が、プレストレストコンクリート梁内でＵターン状に折り曲げられたＰＣ鋼線で所定のプレストレスを付与されて接合され、床側のプレストレストコンクリート梁の上下面には、プレストレストコンクリート梁を挟んだ状態で間柱部材が、プレストレストコンクリート梁を貫通した４本のＰＣ鋼線で所定のプレストレスを付与されて接合され、この４本のＰＣ鋼線は前側の２本のＰＣ鋼線と、後側の２本のＰＣ鋼線とが対向して配線され、前側のＰＣ鋼線における右側のＰＣ鋼線と、後側のＰＣ鋼線における左側のＰＣ鋼線とが交差し、前側のＰＣ鋼線における右側のＰＣ鋼線の下端部が、前側のＰＣ鋼線における左側のＰＣ鋼線の下端部の後側に配線され、後側のＰＣ鋼線における左側のＰＣ鋼線の下端部が、後側のＰＣ鋼線における右側のＰＣ鋼線の下端部の前側に配線され、これら天井側のプレストレストコンクリート梁の間柱部材と、床側のプレストレストコンクリート梁の上面の間柱部材とに低降伏点鋼パネルが前記ＰＣ鋼線のアンカーヘッドで固定されたことを特徴とする制振装置。
【発明の詳細な説明】
【０００１】
【発明の属する技術分野】
本発明は制震装置に関するものである。
【０００２】
【従来の技術】
近年、地震から構造物を保護するものとして、特開平１０−２２７１５５号公報の制震装置がある。この制震装置の他に、図６に示すようなものもある。この制震装置１６は、天井側および床側の鉄骨梁１７、１８間に低降伏点鋼パネル１９が取付ボルト２０で設置されたものである。
【０００３】
【特許文献１】
特開平１０−２２７１５５号公報（図３）
【０００４】
【発明が解決しようとする課題】
しかし、上記の制震装置は低降伏点鋼パネルが多くのボルトで設置されているため、地震による破壊後の交換に手間がかかるという問題があった。
【０００５】
本願発明は上記のような問題に鑑みてなされたものであり、その目的は、低降伏点鋼パネルの交換が簡単にできる制震装置を提供することである。
【０００６】
【課題を解決するための手段】
以上の課題を解決するための本発明の制振装置は、プレストレストコンクリート柱間にプレストレストコンクリート梁が架設されて形成された領域における天井側のプレストレストコンクリート梁の下面に間柱部材が、プレストレストコンクリート梁内でＵターン状に折り曲げられたＰＣ鋼線で所定のプレストレスを付与されて接合され、床側のプレストレストコンクリート梁の上下面には、プレストレストコンクリート梁を挟んだ状態で間柱部材が、プレストレストコンクリート梁を貫通した４本のＰＣ鋼線で所定のプレストレスを付与されて接合され、この４本のＰＣ鋼線は前側の２本のＰＣ鋼線と、後側の２本のＰＣ鋼線とが対向して配線され、前側のＰＣ鋼線における右側のＰＣ鋼線と、後側のＰＣ鋼線における左側のＰＣ鋼線とが交差し、前側のＰＣ鋼線における右側のＰＣ鋼線の下端部が、前側のＰＣ鋼線における左側のＰＣ鋼線の下端部の後側に配線され、後側のＰＣ鋼線における左側のＰＣ鋼線の下端部が、後側のＰＣ鋼線における右側のＰＣ鋼線の下端部の前側に配線され、これら天井側のプレストレストコンクリート梁の間柱部材と、床側のプレストレストコンクリート梁の上面の間柱部材とに低降伏点鋼パネルが前記ＰＣ鋼線のアンカーヘッドで固定されたことを特徴とする。
【０００７】
低降伏点鋼パネルが、ＰＣ鋼線のアンカーヘッドを利用して設置されているため、取り外しが簡単で、地震後の破壊による交換も容易になる。またプレストレストコンクリート梁と間柱部材とがＰＣ鋼線で一体になっているため、制震装置の組立が簡単にできる。
【０００８】
【発明の実施の形態】
以下、本発明の制震装置の実施の形態を図面に基づいて説明する。この制震装置は、図１に示すような、プレストレストコンクリート部材で構築される超高層建物Ａの上下の梁間に設置されるものである。
【０００９】
この制震装置１は、図２に示すように、プレストレストコンクリート柱２とプレストレストコンクリート梁３、４で囲まれた領域における間柱部材５間に低降伏点鋼パネル６が設置されて構成されている。
【００１０】
この領域内における天井側および床側のプレストレストコンクリート梁３、４の中央部には、図３〜図５に示すように、複数の鋼線１５からなるＰＣ鋼線７により間柱部材５が設置されている。この間柱部材５とプレストレストコンクリート梁３、４とはプレキャストコンクリート部材であるため、工場で組み立てて搬入するか、あるいは搬入した後に現場で組み立てるものとする。またこれらの梁３、４と間柱部材５とは従来の公知のように一体的に形成することもできる。
【００１１】
天井側のプレストレストコンクリート梁３には下面に間柱部材５が接合され、この間柱部材５が、プレストレストコンクリート梁３内でＵターン状に折り曲げられたＰＣ鋼線７により、所定のプレストレストを付与されて取り付けられている。
【００１２】
一方、床側のプレストレストコンクリート梁３の上下面には、プレストレストコンクリート梁３を挟んだ状態で間柱部材５が接合され、この間柱部材５がプレストレストコンクリート梁４を貫通した４本のＰＣ鋼線７によって、所定のプレストレストを付与されて取り付けられている。この４本のＰＣ鋼線７のうちの２本が、図４に示すように、交差して配線されている。
【００１３】
この４本のＰＣ鋼線は前側の２本のＰＣ鋼線７ａと、後側の２本のＰＣ鋼線７ｂとが対向して配線され、そのうちの１本、すなわち前側のＰＣ鋼線７ａにおける右側のＰＣ鋼線と、後側のＰＣ鋼線７ｂにおける左側のＰＣ鋼線とが交差し、前側のＰＣ鋼線７ａにおける右側のＰＣ鋼線の下端部が、前側のＰＣ鋼線７ａにおける左側のＰＣ鋼線の下端部の後側に配線され、後側のＰＣ鋼線７ｂにおける左側のＰＣ鋼線の下端部が、後側のＰＣ鋼線７ｂにおける右側のＰＣ鋼線の下端部の前側に配線されている。
【００１４】
したがって、このプレストレストコンクリート梁３、４をプレストレストコンクリート柱２間へ架設すると同時に間柱部材５の設置もできる。
【００１５】
また低降伏点鋼パネル６は上下の固定プレート８間に設けたパネル材９と、このパネル材９に設けた縦プレート１０と横プレート１１とから構成されている。この固定プレート８のボルト孔１２にはＰＣ鋼線のネジ付きアンカーヘッド１３が挿入され、これにナット１４がねじ込まれて低降伏点鋼パネル６が取り付けられている。
【００１６】
したがって、上記のナット１４をアンカーヘッド１３から外すと、低降伏点鋼パネル６を間柱部材５間から簡単に取り外すことができ、地震による破壊後の交換が簡単にできる。
【００１７】
【発明の効果】
低降伏点鋼パネルがＰＣ鋼線のアンカーヘッドで設置されているため、取り外しが簡単にでき、地震後の破壊による交換が容易になる。
【００１８】
プレストレストコンクリート梁と間柱部材とがＰＣ鋼線で一体となっているため、制震装置の組立が簡単にできる。
【図面の簡単な説明】
【図１】  制震装置が組み付けられる超高層建物の正面図である。
【図２】  制震装置の正面図である。
【図３】  （１）は制震装置の拡大断面図、（２）は要部の拡大断面図である。
【図４】  （１）は制震装置の断面図、（２）はＰＣ鋼線の配線の概略図である。
【図５】  図４のＢ−Ｂ線断面図である。
【図６】  （１）は従来の制震装置の正面図、（２）は（１）のＣ−Ｃ線断面図である。
【符号の説明】
１、１６  制震装置
２  プレストレストコンクリート柱
３、４  プレストレストコンクリート梁
５  間柱部材
６、１９  低降伏点鋼パネル
７  ＰＣ鋼線
８  固定プレート
９  パネル材
１０  縦プレート
１１  横プレート
１２  ボルト孔
１３  アンカーヘッド
１４  ナット
１５  複数の鋼線
１７、１８  鉄骨梁
２０  取付ボルト
【図１】
0003798388.tif 000002
【図２】
0003798388.tif 000003
【図３】
0003798388.tif 000004
【図４】
0003798388.tif 000005
【図５】
0003798388.tif 000006
【図６】
0003798388.tif 000007